(57)【要約】      （修正有）【課題】カードゲームで使用される所定数のデッキのカードを過不足なく自動で作成するカードデックの作成装置を提供する。【解決手段】カードデックの作成装置１は、トランプカード１０のスート及びランクの表記もしくはトランプカードに付された前記スート及びランクを表わす識別用のコードを読み取ることにより、カードセット台１４から送り出されたトランプカード１０のスート及びランクを判別するカード読み取り装置２３を備え、スート及びランクが判別されたトランプカード１０の進行方向を切り換えるための複数の仕分け片２４と、この仕分け片２４を回動駆動するロータリソレノイド２５を備えた仕分け装置２６と、仕分け装置２６により進行方向が切り替えられたトランプカード１０をそれぞれストックする復数のカードストッカ２７−１、２７−２、２７−３が配置されている。【選択図】図３
2013252157.tif 000002
【特許請求の範囲】
【請求項１】
カードデック作成するためのランダムに配列された複数枚のカードの束を置くためのカードセット台と、
前記カードをカードセット台から一枚ずつ送り出すための送出ローラと、
前記カードのスート及びランクの表記もしくはカードに付された前記スート及びランクを表わす識別コードを読み取ることにより、送り出された前記カードのスート及びランクを判別するカード読み取り装置と、
スート及びランクが判別されたカードの進行方向を切り換える仕分け装置と、
仕分け装置により進行方向が切り替えられたカードをそれぞれストックする復数のカードストッカと、
前記複数のカードが複数のカードストッカの内どのカードストッカにストックされるかを制御する制御装置と、を備え、
前記制御装置は、
前記カード読み取り装置により判別した前記各カードのスートおよびランクを、複数のカードストッカの内のどのカードストッカに前記カードをストックしたかという情報とともに記憶する、メモリと、
前記メモリの記憶内容を利用して、前記複数のカードストッカの内のいずれか一つにおいて、所定の数のスート及びランクのカードがストックされるまで、同一のスート及びランクのカードが前記カードストッカにストックされるように前記仕分け装置を制御するとともに、前記同一のスート及びランクのカードが前記カードストッカに所定数ストックされると、前記同一のスート及びランクのカードを、前記カードストッカとは別のカードストッカにストックするように前記仕分け装置を制御して前記カードの進行方向を切換えるカードの振り分け制御部と、
前記複数のカードストッカの内のいずれか一つに、スート及びランクがそれぞれ異なるカードデックの所定の数のセットがストックされたときに、所定の数のカードデックが前記カードストッカにおいてストックされたことを出力する出力部と、
を備え、
さらに、前記カードの振り分け制御部は、前記メモリの記憶内容をもとに、前記カードストッカとは別のカードストッカに所定の数のスート及びランクのカードがストックされると、所定数以上に同一のスート及びランクのカードをストックしないように前記仕分け装置を制御して、前記同一のスート及びランクのカードを、所定数に満たない前記複数のカードストッカの内の一のカードストッカにストックするよう制御するものである、カードデックの作成装置。
【請求項２】
前記出力部の出力に基づいて、スート及びランクがそれぞれ異なるカードデックの所定の数のセットがストックされた一のカードストッカから、前記カードデックの所定の数のセットを取り出せるように前記カードストッカを操作するカードストッカ操作部をさらに備えた、
請求項１に記載のカードデックの作成装置。
【請求項３】
前記カードの振り分け制御部は前記カードストッカ操作部の作動中に、操作対象の前記カードストッカにカードが振り分けられないように仕分け装置を制御する、請求項２に記載のカードデックの作成装置。
【請求項４】
前記制御装置は、前記カードストッカよりカードが取り出されると、当該カードストッカに関する前記メモリの内容をリセットするよう制御する、請求項１から３のいずれかに記載のカードデックの作成装置。
【請求項５】
前記カードに付された所定の組を構成する組コードを判別し、異常トランプカードが含まれていないかを検査（判別）する判別装置をさらに備えた、請求項１から４のいずれかに記載のカードデックの作成装置。
【請求項６】
前記カードに付された絵柄もしくは絵柄に付されたロゴあるいはマークを判別し、所定の絵柄もしくは絵柄に付されたロゴあるいはマークが付されていない異常トランプカードが含まれていないかを検査（判別）する判別装置をさらに備えた、請求項１から５のいずれかに記載のカードデックの作成装置。
【請求項７】
前記カードの表面もしくは絵柄の付された裏面に傷がある異常トランプカードが含まれていないかを検査（判別）する判別装置をさらに備えた、請求項１から５のいずれかに記載のカードデックの作成装置。
【請求項８】
前記カードの表面もしくは絵柄の付された裏面にマーキングもしくはチェックが付された異常トランプカードが含まれていないかを検査（判別）する判別装置をさらに備えた、請求項１から５のいずれかに記載のカードデックの作成装置。
【請求項９】
前記カードの表面もしくは絵柄の付された裏面に汚れを有する異常トランプカードが含まれていないかを検査（判別）する判別装置をさらに備えた、請求項１から５のいずれかに記載のカードデックの作成装置。
【発明の詳細な説明】
【技術分野】
【０００１】  本発明は、バカラ等のカードゲームに使用されるカードを、所定数のデッキに組込み上げセットにするカードデッキの作成装置に関する。
【背景技術】
【０００２】  バカラ等のカードゲームに使用されるカードにおいては、不正なカードのカウントを防止するために所定数のデッキをセットにして使用することが一般的である。このような所定数のデッキのカードは、所定枚数のスートおよびランクのカードを集めてセットに組み上げる。ゲームテーブルにおいて、これらのカードが過不足なく完全にそろっている必要があり、それを検査するためのカードの検査装置が必要となる。この種の装置の一つは、特開２００８−０２９８６５（弊社特許出願）に開示されている。同文献では、スート及びランクの検査と各カードが属する組を示す組コード等の検査が検査装置により行われる。
【先行技術文献】
【０００３】
【特許文献１】  特開２００８−０２９８６５
【発明の概要】
【発明が解決しようとする課題】
【０００４】  上述の従来装置は、使用済みのカードを集めてそれらのカードが、所定数のスーツおよびランクで構成されているか否か、更には所定の組に属するか否かを検査することで、不正防止に寄与している。しかし、このような装置は、新しく印刷されたカード、あるいは使用済みのカードを集めて、所定数のデッキに組込み上げセットにすることを目的とするものではない。【０００５】  特に、使用済みのカードを集める場合、ある特定のカード（たとえばハートのエース）が多数存在する一方で、別のカード（たとえばスペードのクイーン）が不足している、などの場合が存在する。【０００６】  特に、使用済みのカードを集めて、所定数のデッキに組込み上げセットにする場合には、単に必要な種類のスーツおよびランクが揃っているか否かを検査するだけでは不十分で、ある特定のカードの過不足を調整し、結果として所定数のスーツおよびランクで構成される所定数のデックを作成する必要がある。【０００７】  本発明は上記背景の下でなされたものであり、その目的は、カードゲームで使用される所定数のデッキのカードを過不足なく自動で作成するカードデックの作成装置を提供することにある。
【課題を解決するための手段】
【０００８】  上記目的を達成するために、本願発明のカードデックの作成装置は、カードデック作成するためのランダムに配列された複数枚のカードの束を置くためのカードセット台と、前記カードをカードセット台から一枚ずつ送り出すための送出ローラと、前記カードのスート及びランクの表記もしくはカードに付された前記スート及びランクを表わす識別コードを読み取ることにより、送り出された前記カードのスート及びランクを判別するカード読み取り装置と、スート及びランクが判別されたカードの進行方向を切り換える仕分け装置と、仕分け装置により進行方向が切り替えられたカードをそれぞれストックする復数のカードストッカと、
前記複数のカードが複数のカードストッカの内どのカードストッカにストックされるかを制御する制御装置と、を備え、記制御装置は、前記カード読み取り装置により判別した前記各カードのスートおよびランクを、複数のカードストッカの内のどのカードストッカに前記カードをストックしたかという情報とともに記憶するメモリと、前記メモリの記憶内容を利用して、前記複数のカードストッカの内のいずれか一つにおいて、所定の数のスート及びランクのカードがストックされるまで、同一のスート及びランクのカードが前記カードストッカにストックされるように前記仕分け装置を制御するとともに、前記同一のスート及びランクのカードが前記カードストッカに所定数ストックされると、前記同一のスート及びランクのカードを、前記カードストッカとは別のカードストッカにストックするように前記仕分け装置を制御して前記カードの進行方向を切換えるカードの振り分け制御部と、前記複数のカードストッカの内のいずれか一つに、スート及びランクがそれぞれ異なるカードデックの所定の数のセットがストックされたときに、所定の数のカードデックが前記カードストッカにおいてストックされたことを出力する出力部と、を備え、さらに、前記カードの振り分け制御部は、前記メモリの記憶内容をもとに、前記カードストッカとは別のカードストッカに所定の数のスート及びランクのカードがストックされると、所定数以上に同一のスート及びランクのカードをストックしないように前記仕分け装置を制御して、前記同一のスート及びランクのカードを、所定数に満たない前記複数のカードストッカの内の一のカードストッカにストックするよう制御する、構成を有するものである。【０００９】  さらに、本発明カードデックの作成装置では、出力部の出力に基づいて、スート及びランクがそれぞれ異なるカードデックの所定の数のセットがストックされた一のカードストッカから、前記カードデックの所定の数のセットを取り出せるように前記カードストッカを操作するカードストッカ操作部をさらに備え、また、カードの振り分け制御部は前記カードストッカ操作部の作動中に、操作対象の前記カードストッカにカードが振り分けられないように仕分け装置を制御する構成、前記制御装置が、前記カードストッカよりカードが取り出されると、当該カードストッカに関する前記メモリの内容をリセットするよう制御する、構成を含むものであってもよい。
また、本発明カードデックの作成装置では、カードに付された所定の組を構成する組コードを判別し、異常トランプカードが含まれていないかを検査（判別）する判別装置を備えるもの、あるいはカードに付された絵柄もしくは絵柄に付されたロゴあるいはマークを判別し、所定の絵柄もしくは絵柄に付されたロゴあるいはマークが付されていない異常トランプカードが含まれていないかを検査（判別）する判別装置をさらに備えるもの、あるいはカードの表面もしくは絵柄の付された裏面に傷がある異常トランプカードが含まれていないかを検査（判別）する判別装置をさらに備えるもの、あるいはカードの表面もしくは絵柄の付された裏面にマーキングもしくはチェックが付された異常トランプカードが含まれていないかを検査（判別）する判別装置をさらに備えるもの、あるいはカードの表面もしくは絵柄の付された裏面に汚れを有する異常トランプカードが含まれていないかを検査（判別）する判別装置をさらに備えるもの、であってもよい。
【発明の効果】
【００１０】  本発明によれば、カードゲームで使用される所定数のデッキのカードのセットを過不足なく自動で作成する作業性が向上するとともにコストの削減にも繋がる。
【図面の簡単な説明】
【００１１】
【図１】  本願発明の形態１のカードデックの作成装置に使用するトランプカードの概観図である。
【図２】  同トランプカードに含まれる情報を模式的に表した図である。
【図３】  同カードデックの作成装置の概略側面図である。
【発明を実施するための最良の形態】
【００１２】  本発明の実施の形態１を図面を参照しながら説明する。
〔トランプカード〕
図１は、トランプカードの表（おもて）面の通常の使用状態における概観図である。また、図２は、図１のトランプカードに特殊光線としての紫外線を照射したときの概観図である。トランプカード１０の表（おもて）面には、通常の使用状態では人間の視覚では見ることのできない状態で識別コードが記録さている識別コード記録部１１と、スートとしてスペード、ハート、ダイヤ、クローバのいずれか、ランク（ヴァリュ）としてＡ、２、・・・１０、Ｊ、Ｑ、Ｋのいずれか、がそれぞれ表記された種類表記部１２とが設けられている。【００１３】  なお、本明細書及び請求の範囲において、「スート」とは、トランプカードの種類（ハート、スペードなど）を意味し、「ランク」とは「数」（たとえば、エース、２、３、――１０、ジャック、クイーン、キング等）を意味し、「表記」とは、トランプカードの表（おもて）面に表されたスートとランクとを示す表記を意味する。また、「絵柄」とは、トランプカードの裏面に表された柄を意味する。１デッキを構成するトランプカードでは、それぞれ表面の種類表記が異なるとともに、すべて裏面の絵柄が同じである。通常のトランプゲームでは１デッキのみを用いるが、カジノでは、同一絵柄同士の複数デッキを用いてゲームを行うことがある。【００１４】  識別コード記録部１１は、トランプカードの長方向の端方に設けられている。その識別コード記録部１１には、識別コードとしてのバーコード１１０等が設けられている。バーコード１１０は、紫外線（ブラックライト）が当たると発色して人間の肉眼でも見ることができる紫外線発色インクでトランプカード１０に印刷されている。また、図１に示すように、識別コード記録部１１は、種類表記部１２と重ならないように設けられている。なお、図１に示すように、トランプカードは、従来のトランプカードと同様に、ランクの数だけのスートマークを用いて種類を表記している。これを種類表記部として用いることも可能である。【００１５】  識別コード記録部１１がトランプカード１０の両長辺の近くに設けられていてもよい。また、トランプカード１０には、カード本体の短方向の端に対向するように、識別コード記録部１１として２つのバーコードが印刷されててもよい。【００１６】  識別コード記録部１１は、トランプカード１０の中心に関して点対称な位置に２つあり、両識別コード記録部１１には同じ識別コードが与えられる。【００１７】  ここで、識別コード記録部１１が１個所にしか設けられていないとすれば、後述するカード読み取り装置により検査をする際には、使用後にその上下向きがバラバラになってしまっている複数枚のトランプカードをまず、その単一の識別コードが所定の位置にくるように向きをそろえなければならない。そして、このような作業は煩雑である。ましてや識別コードは通常の使用状態において見えないのであるから、単一の識別コードの位置が揃うように向きをそろえることは困難である。さらに、トランプカードには、上下の区別のないデザインがされているカードもあるので（例えばダイヤの４など）、そのようなトランプカードについてはデザインを頼りに向きをそろえることもできない。この構成によれば、検査作業の煩雑さを伴うことなく、��たカード読み取り装置を複雑にすることなく、識別コードの読取りに基づく検査等を行うことができるという利点がある。【００１８】  カード読み取り装置によりバーコードを読み取る場合は、両方を読み取って、一方が読取不可能でも一方が読取り可能であれば、正常カードと判別されるようにしてもよい。また、バーコードを構成するコード内容が多い場合に、２箇所に分けて印刷し、両方のコードデータを一つのデータとしてもよい。【００１９】  識別コードは紫外線により可視化されるインクの他、赤外線により可視化されるインクなど他のインクで印刷されてもよい。さらに、上記の例では、バーコードを通常の使用状態において人間の視覚により見えないインクで印刷することとしたが、これに限らず、通常の使用状態において人間の視覚により見える可視インクで印刷してもよい。このような可視インクによってバーコードが印刷されているとその使用者にとっては違和感があるが、ゲームそのものに影響を与えることはない。従って、カードを安価に出来るという点では効果的である。【００２０】  また、識別コードを磁気的に設ける場合には、磁化された部分が黒くカード表面に現れてもよい。この場合にも人間は通常の使用状態において何らかの識別コードが与えられていることは視覚により判断できるが、その識別コードが何であるのかを見ることはできない。つまり、人間の視覚によっては、ある識別コードの情報が与えられた磁化部分と他の識別コードの情報が与えられた磁化部分とを区別することはできない。このような状態も「通常の使用状態において人間の視覚により見ることができない」状態である。【００２１】  また、識別コード記録部１１は、トランプカード１０の裏面に設けられていてもよい。更に、トランプカードに内蔵されたＩＣチップに識別コードの情報を与えるなどにより、識別コード部１１をトランプカード１０の中に設けてもよい。識別コードは、バーコードだけでなく、数字や記号等で構成されていてもよく、また、それらを混合して使用してもよい。【００２２】  図２は、トランプカード１０に含まれる情報を模式的に表した図である。各トランプカード１０は、それに含まれる情報として、そのトランプカードが所属する組を表す識別コード情報１１０Ｊと、そのトランプカードのスーツおよびランクを表す種類情報１２Ｊと、トランプカードの絵柄を表す絵柄情報１３Ｊとを有する。なお、１デッキのトランプカードによって一つの組が構成される場合には、組を表す識別コード情報１１０Ｊは各デッキ毎に異なり、複数デッキのトランプカードによって一つの組が構成される場合には、組を表す識別コード情報１１０Ｊは、その組を構成する複数デッキについて共通である。【００２３】  識別コード情報１１０Ｊは、トランプカード１０が所属する組に対して固有に与えられた組コード情報１１０１、製造年月日コード情報１１０２、製造元コード情報１１０３、カジノコード情報１１０４及び製造ロットコード情報１１０５からなっている。ここで、組コード１１０１は例えば１００デッキ若しくは１０００デッキのトランプカードに対して共通に与えられてもよいし、デッキ毎に固有に与えられてもよい。即ち、組は例えば１０００デッキにより構成��れてもよいし、１デッキにより構成されてもよい。【００２４】  種類情報１２Ｊには、種類表記部１２が有するスート情報１２１及びランク情報１２２と、識別コード１１０と同様に通常の使用状態において不可視な状態で記録された種類コード情報１１０６とからなる。この種類コード情報１１０６には、種類表記部１２が有するスート及びランクをコード化した情報が含まれる。種類コード情報１１０６は、識別コード１１０と同じ場所に設けられていてもよいし、また、識別コード１１０の中に含まれていてもよい。絵柄情報１３Ｊは、トランプカード１０の裏面の絵柄自身が有する画像情報である。【００２５】〔カードデックの作成装置〕
図３は、カードデックの作成装置の実施形態１を表す概略側面図である。カードデックの作成装置１は、使用済みのトランプカードを集めて、所定数のデッキに組込み上げセットにする対象となるランダムに配列された複数枚のトランプカード１０の束１００を置くためのカードセット台１４と、トランプカード１０をカードセット台１４の底側から一枚ずつ送り出すための送出ローラ１５とを有する。デッキ作成の対象たるトランプカード１０は、スート及びランクが表記され、識別コードが印刷された表（おもて）面を上向きにしてカードセット台１４にセットされる。【００２６】  また、カードデックの作成装置１は、カードセット台１４から送り出されたトランプカード１０を搬送するための、適宜な間隔をあけて設けられた搬送ローラ１６及び１７と、搬送ローラ１６と搬送ローラ１７の間の上方に設けられトランプカード１０の識別コード記録部１１に紫外線（ブラックライト）を照射するための紫外線ランプ１９と、紫外線ランプ１９の間に設けられ紫外線により発色したバーコード１１０を読み取って読取データを生成するための紫外線センサ２０と、トランプカード１０の種類表記を読み取って読取データを生成するためのＣＣＤカメラ２１と、搬送ローラ１６と搬送ローラ１７の間の下方に設けられトランプカード１０の絵柄の形態を読み取るためのＣＣＤカメラ２２とを有する。【００２７】  なお、上記の紫外線センサ２０を、紫外線ランプ１９によって紫外線を照射された識別コード部１１を撮影するＣＣＤカメラとしてもよい。紫外線センサ２０は上記のように識別コードや種類コード情報１１０６がバーコード等のコードやマークである場合の読取りに適しており、一方、ＣＣＤカメラは上記の識別コードが上記の特殊なインクによって数字や記号として印刷されている場合の読取りに適している。【００２８】  送出ローラ１５によりカードセット台１４から送り出されたトランプカード１０は、搬送ローラ１６によって紫外線センサ２０などと対向する位置に搬送される。紫外線センサ２０、ＣＣＤカメラ２１及びＣＣＤカメラ２２は適宜なタイミングでトランプカード１０の所定部分を読み取る。【００２９】  カードデックの作成装置１は、上述のように、ＣＣＤカメラ２２あるいは紫外線センサ２０を含み、トランプカード１０のスート及びランクの表記もしくはトランプカードに付された前記スート及びランクを表わす識別用のコード（種類コード情報１１０６）を読み取ることにより、送り出されたトランプカード１０のスート及びランクを判別するカード読み取り装置２３を備える。また、搬送ローラ１６と搬送ローラ１７の下流には、スート及びランクが判別されたトランプカード１０の進行方向を切り換えるための複数の仕分け片２４と、この仕分け片２４を回動駆動するロータリソレノイド２５を備えた仕分け装置２６と、仕分け装置２６により進行方向が切り替えられたトランプカード１０をそれぞれストックする復数のカードストッカ２７−１、２７−２、２７−３が配置されている。【００３０】  複数のトランプカード１０が複数のカードストッカ２７−１、２７−２、２７−３のいずれのカードストッカにストックするかを制御するのが制御装置２８である。制御装��２８は、振り分けの対象となるトランプカード１０の中に、後述するような異常なトランプカードが含まれていないかどうかを判別する判別装置２９およびメモリ３０、種別カードカウント部３１、カードの振り分け制御部３２、出力部３３とを備える。【００３１】  メモリ３０は、カード読み取り装置２８により判別した各トランプカード１０のスートおよびランクのトランプカード１０の情報と、複数のカードストッカ２７−１、２７−２、２７−３の内のどのカードストッカにトランプカードをストックしたかという情報とを、ともに記憶する。【００３２】  種別カードカウント部３１は、メモリ３０の記憶内容をもとに、複数のカードストッカ２７−１、２７−２、２７−３の内のいずれか一つにおいてスート及びランクがそれぞれ異なるカードデックの所定の数のセットがストックされたことを計数（カウント）するものであるが、メモリ３０にその機能を与えてもよく、カードの振り分け制御部３２や出力部３３にこのカウンタ機能を持たせることができる。【００３３】  カードの振り分け制御部３２は、メモリ３０あるいは種別カードカウント部３１の記憶内容をもとに、複数のカードストッカ２７−１、２７−２、２７−３の内のそれぞれにおいて（２７−１、２７−２、２７−３）、所定の数（たとえば８デック分）のスート及びランクのトランプカード１０がストックされるまで、同一のスート及びランクのトランプカード１０が当該カードストッカにストックされるように、仕分け装置２６を制御するとともに、同一のスート及びランクのトランプカード１０がまず初めに前記カードストッカ２７−１に所定数（たとえば８枚）ストックされると、同一のスート及びランクのトランプカード１０を、当該カードストッカ２７−１とは別のカードストッカ（たとえば２７−２）にストックするように仕分け装置２６を制御してトランプカード１０の進行方向を切換える。以後、別のカードストッカ（たとえば２７−２）に所定数（たとえば８枚）ストックされると、同一のスート及びランクのトランプカード１０を、当該カードストッカ２７−２とは別のカードストッカ（たとえば２７−３）にストックするように仕分け装置２６は制御される。【００３４】  出力部３３は、メモリ３０あるいは種別カードカウント部３１の記憶内容をもとに、複数のカードストッカ２７−１、２７−２、２７−３の内のいずれか一つ（たとえば２７−１）に、スート及びランクがそれぞれ異なる全てのトランプカードの完成デック（５２枚）の所定の数のセット（たとえば８デック分）で４１６枚がストックされたときに、所定の数（８デックでは４１６枚）が前記カードストッカ２７−１においてストックされたことを電気信号で出力するとともに、ランプあるいはブザーなどで知らせるものである。【００３５】  さらに、本カードデックの作成装置１では、出力部３３の出力に基づいて、スート及びランクがそれぞれ異なるカードデックの所定の数のセットがストックされた一のカードストッカ（たとえば２７−１）から、カードデックの所定の数（８デックでは４１６枚）のセットＳ−１を取り出せるように、カードストッカ２７−１を、図３の矢印Ｔの方向に取り出し位置（図示せず）まで移動操作するカード���トッカ操作部３４をさらに備える。なお、カードの振り分け制御部３２は、カードストッカ操作部３４の作動中に、操作対象のカードストッカ（たとえば２７−１）にトランプカード１０が振り分けられないように、仕分け装置２６を制御する機能がプログラムされている。そして、制御装置２８は、カードストッカ（たとえば２７−１）よりトランプカードのセットＳ−１が取り出されると、当該カードストッカ２７−１に関するメモリ３０の内容をリセットする。【００３６】  カードの振り分け制御部３２においては、さらに、所定の数のそれぞれ同一種類のスート及びランクのトランプカード１０がカードストッカ２７−３にストックされると、同種のトランプカード１０が更にカードストッカ２７−３にストックされないように、仕分け装置２６を制御するように構成される。この場合、所定の数のセットＳ−１が取り出された後に元の位置にカードストッカ２７−１が戻っている場合には、当該トランプカード１０をカードストッカ２７−１にストックするよう仕分け装置２６を制御する。このようにして、所定の数のスート及びランクのトランプカード１０がどのカードストッカにも、所定数ストックされないように制御する。カードストッカ２７は、適宜複数個用意されているるが、所定の数のスート及びランクのトランプカード１０が各カードストッカ２７−１，２７−２，２７−３で満杯になった時は、図示しないオーバーフローストッカにトランプカード１０は振り分けされる。【００３７】  また、本実施の形態１のカードデックの作成装置では、トランプカードに付された組コード情報１１０１、製造年月日コード情報１１０２、製造元コード情報１１０３、カジノコード情報１１０４及び製造ロットコード情報１１０５等の所定の組を構成する組コードを判別し、異常トランプカードが含まれていないかを検査（判別）する判別装置２９をさらに備えている。また、本実施の形態１のカードデックの作成装置では、トランプカード１０に付された絵柄もしくは絵柄に付されたロゴあるいはマークをＣＣＤカメラ２２により得た情報より判別し、所定の絵柄もしくは絵柄に付されたロゴあるいはマークではない異常トランプカードが含まれていないかを検査（判別）する機能を判別装置がさらに備え、加えて、ＣＣＤカメラ２１，２２により得た情報より、トランプカードの表面もしくは絵柄の付された裏面に傷がある異常トランプカードが含まれていないかを検査する機能、さらには、トランプカード１０の表面もしくは絵柄の付された裏面に不正目的などで付されるマーキングもしくはチェックが存在する異常トランプカードが含まれていないかを検査（判別）する機能、あるいはまた、トランプカード１０の表面もしくは絵柄の付された裏面に、シミやごみの付着などに起因する「汚れ」を有する異常トランプカードが含まれていないかを検査（判別）する機能をさらに備える。【００３８】  〔動作〕
送出ローラ１５によりカードセット台１４から送り出されたトランプカード１０は、搬送ローラ１６によって紫外線センサ２０などと対向する位置に搬送され、紫外線センサ２０、ＣＣＤカメラ２１及びＣＣＤカメラ２２により、適宜なタイミングでトランプカード１０の所定部分が読み取られ、カード読み取り装置２３により通過する各トランプカード１０のスートおよびランクの情報が取得される。初期段階では、このトランプカード１０は、複数のカードストッカ２７−１、２７−２、２７−３の内のカードストッカ２７−１に振り分けられる。そして、トランプカード１０のスートとランク（たとえばハートの７）の情報とともに、振り分けられストックしたカードストッカ２７−１の情報（たとえば２７−１）がメモリ３０記憶される。【００３９】  種別カードカウント部３１は、メモリ３０の記憶内容をもとに、複数のカードストッカ２７−１、２７−２、２７−３の内のそれぞれにおいて、スート及びランクがそれぞれ異なるカードデックの所定の数のセット（例えば８デック）がストックされたか否かを計数（カウント）する。一方、カードの振り分け制御部３２は、メモリ３０あるいは種別カードカウント部３１の記憶内容をもとに、複数のカードストッカ２７−１、２７−２、２７−３の内のいずれか一つにおいて（たとえばカードストッカ２７−１）、所定の数（たとえば８デック分では８枚）のスート及びランクのトランプカード１０がストックされるまで、読み取られた同一のスート及びランクのトランプカード１０を当該カードストッカ２７−１にストックされるように、仕分け装置２６を制御する（この場合には仕分け片２４は上方に位置する）。同一のスート及びランクのトランプカード１０が前記カードストッカ２７−１に所定数（たとえば８枚）ストックされると、メモリ３０の記憶内容をもとに、同一のスート及びランクのトランプカード１０は、当該カードストッカ２７−１とは別のカードストッカ（たとえば２７−２）にストックするように仕分け装置２６は制御される。そして、図３においてカードストッカ２７−２のすぐ左にある仕分け片２４を下方に位置せしめて、トランプカード１０がカードストッカ２７−２に至るよう（矢印Ｄに示す）にトランプカード１０の進行方向を切換える。【００４０】  そして、制御部２８の出力部３３はメモリ３０の記憶内容をもとに、複数のカードストッカ２７−１、２７−２、２７−３の内のいずれか一つ（たとえば２７−１）に、スート及びランクがそれぞれ異なるトランプカードデックの所定の数のセット（たとえば８デック分の４１６枚）がストックされたときに、所定の数のトランプカードデック（８デック）が前記カードストッカ２７−１においてストックされたことを出力部３３に伝え、出力部３３は電気信号でこのことを出力するとともに、ランプあるいはブザーなどで知らせる。【００４１】  さらに、出力部３３の出力に基づいてカードストッカ操作部３４は、スート及びランクがそれぞれ異なるトランプカードデックの所定の数のセットがストックされたカードストッカ（たとえば２７−１）を（図示しない）ロボット等の手段で取り出し位置（Ｒ）に移動させる。トランプカードデックの所定の数のセットＳ−１は別のロボット（図示せず）等により取り出され、カードストッカ操作部３４により、カードストッカ２７−１は、図３の矢印Ｔの逆方向に移動操作され元の位置に戻る。なお、カードの振り分け制御部３２は、ストッカ操作部３４によるカードストッカ２７−１の移動中に、操作対象のカードストッカ（たとえば２７−１）にトランプカード１０が振り分けられないように、仕分け装置２６を制御する機能がプログラムされている。そして、制御装置２８は、カードストッカ（たとえば２７−１）よりトランプカードのセットＳ−１が取り出されると、当該カードストッカ２７−１に関するメモリ３０の内容をリセットする。【００４２】  トランプカード１０の振り分け制御部３２は、メモリ３０の記憶内容をもとに、カードストッカ２７−１の特定の種類（スートおよびランク）が所定数存在するか、あるいはカードストッカ２７−１の移動中においては、カードストッカ２７−１とは別のカードストッカ２７−２に所定の数のスート及びランクのトランプカード１０がストックするよう制御するが、別のカードストッカ２７−２に所定数以上に同一のスート及びランクのトランプカード１０をストックしないように、メモリ３０の記憶内容をもとに仕分け装置２６を制御して、同一のスート及びランクのトランプカードを、所定数に満たない複数のカードストッカの内の一のカードストッカ２７−３に振り分ける（矢印Ｄ−２）よう制御をおこなう。なお。もし、所定の数のセットＳ−１が取り出され、元の位置にカードストッカ２７−１が戻っている場合には、カードストッカ２７−１に当該トランプカードをストックするよう制御される。【００４３】  なお、同じ種類（スートおよびランクが同じ）のトランプカード１０が、いずれのカードストックカ２７−１、２７−２、２７−３にも所定数存在する場合には、次に来る当該同種のトランプカード１０は、図示しないオーバーフローカードストッカに振り分けられる。【００４４】  判別装置２９は、ＣＣＤカメラ２１、２２の情報をもとに、所定の組を構成する組コードを判別し、異常トランプカードが含まれていないかを検査（判別）する、また、判別装置２９は、トランプカード１０に付された絵柄もしくは絵柄に付されたロゴあるいはマークを判別し、所定の絵柄もしくは絵柄に付されたロゴあるいはマークではない異常トランプカードが含まれていないか、さらに加えて、トランプカードの表面もしくは絵柄の付された裏面に傷がある異常トランプカードが含まれていないか、さらには、トランプカード１０の表面もしくは絵柄の付された裏面に不正目的などで付されるマーキングもしくはチェックが存在する異常トランプカードが含まれていないか、あるいはまた、トランプカード１０の表面もしくは絵柄の付された裏面に、シミやごみの付着などに起因する「汚れ」を有する異常トランプカードが含まれていないかを検査（判別）する。【００４５】  判別装置２９によって、異常トランプカードと判別されると、そのトランプカード１０は、仕分け装置２６を制御することで、カードストックカ２７−１、２７−２、２７−３に振り分けられることなく、異常トランプカードのストッカ（図示せず）に振り分けられる。なお、この異常トランプカードのス���ッカ（図示せず）への異常なトランプカード１０の振り分けは、仕分け装置２６と搬送ローラ１７との間に設けた異常カード仕分け装置（図示せず）により行う。
【図１】
2013252157.tif 000003
【図２】
2013252157.tif 000004
【図３】
2013252157.tif 000005